(57)【特許請求の範囲】
【請求項１】
通路沿いに設置される通路用照明装置であって、
導光板と、
前記導光板の端面に対向配置された光源とを備え、
前記導光板の一方の主面には、前記光源の発光により前記端面から入射した光を他方の主面側に反射することによって前記導光板を面発光させるプリズム群が設けられ、
前記導光板は、前記一方の主面が前記通路の進行方向を向くように設置される
前記プリズム群には、前記端面から入射した光を反射する有効面の角度が互いに異なる複数種類のプリズムが含まれる
通路用照明装置。
【請求項２】
前記導光板は、前記一方の主面の法線方向が前記通路の進行方向と一致するように設置される
請求項１に記載の通路用照明装置。
【請求項３】
さらに、前記導光板の前記他方の主面には、前記光源の発光により前記端面から入射した光を前記一方の主面側に反射することによって前記導光板を面発光させるプリズム群が設けられる
請求項１または２に記載の通路用照明装置。
【請求項４】
前記光源は、設置された状態の前記導光板の上側の前記端面に対向配置されている
請求項１〜３のいずれか１項に記載の通路用照明装置。
【請求項５】
前記端面には、さらに、前記光源からの光を集光して前記導光板の内部に入射させる集光部が設けられる
請求項１〜４のいずれか１項に記載の通路用照明装置。
【請求項６】
設置された状態の前記導光板の下側の端面は、遮光されていない
請求項４に記載の通路用照明装置。
【請求項７】
前記下側の端面には、レンズ部が設けられる
請求項６に記載の通路用照明装置。
【請求項８】
前記レンズ部は、フレネルレンズとして機能する
請求項７に記載の通路用照明装置。
【請求項９】
前記光源は、設置された状態の前記導光板の側部に位置する前記端面に対向配置されている
請求項１〜３のいずれか１項に記載の通路用照明装置。
【請求項１０】
前記導光板は、前記通路に立設された支柱の上部に、前記端面が前記支柱に沿うように取り付けられ、
前記光源は、前記支柱の内部に配置される
請求項９に記載の通路用照明装置。
【請求項１１】
前記通路用照明装置は、屋外に設置される
請求項１〜１０のいずれか１項に記載の通路用照明装置。
【請求項１２】
前記プリズム群には、前記端面から入射した光を反射する有効面の角度が互いに異なる２種類のプリズムが含まれ、
前記導光板の一方の主面には、前記２種類のプリズムの一方からなる第一プリズム列、及び、前記２種類のプリズムの他方からなる第二プリズム列が交互に配置される
請求項１〜１１のいずれか１項に記載の通路用照明装置。
【請求項１３】
前記導光板の端面には、前記プリズム群に含まれるプリズムの有効面に到達する光線の角度範囲を絞る集光レンズ部が設けられる
請求項１〜１２のいずれか１項に記載の通路用照明装置。
【発明の詳細な説明】
【技術分野】
【０００１】
本発明は、歩道及び道路などの通路において使用される通路用照明装置に関する。
【背景技術】
【０００２】
ＬＥＤ等の半導体発光素子は、小型、高効率及び長寿命であることから、近年様々な照明装置に用いられている。
【０００３】
ここで、ＬＥＤ防犯灯、トンネル灯、及び道路灯などにおいては、ＬＥＤが配置されている部分の輝度が他の部分に比べて高くなり、歩行者がグレアを感じることが課題である。
【０００４】
このような課題に対し、特許文献１のような照明装置が提案されている。特許文献１の照明装置においては、見かけ上の光源の大きさを鏡面反射面（プリズム面）に映り込んだ発光素子列の像によって大きくし、グレアを低減している。
【先行技術文献】
【特許文献】
【０００５】
【特許文献１】特許第４９３６０９０号公報
【発明の概要】
【発明が解決しようとする課題】
【０００６】
しかしながら、特許文献１に記載の照明装置では、プリズム面を介してではあるものの、輝度が非常に高いＬＥＤからの光がほぼ直接視認されることになるため、グレアは大きく改善されない可能性がある。
【０００７】
本発明は、グレアを低減することができる通路用照明装置を提供する。
【課題を解決するための手段】
【０００８】
本発明の一態様に係る通路用照明装置は、通路沿いに設置される通路用照明装置であって、導光板と、前記導光板の端面に対向配置された光源とを備え、前記導光板の一方の主面には、前記光源の発光により前記端面から入射した光を他方の主面側に反射することによって前記導光板を面発光させるプリズム群が設けられ、前記導光板は、前記一方の主面が前記通路の進行方向を向くように設置される通路用照明装置。
【発明の効果】
【０００９】
本発明の一態様に係る通路用照明装置によれば、グレアを低減することができる。
【図面の簡単な説明】
【００１０】
【図１】図１は、実施の形態１に係る通路用照明装置の概要を説明するための図である。
【図２】図２は、実施の形態１に係る通路用照明装置の正面図である。
【図３】図３は、実施の形態１に係る通路用照明装置の側面図である。
【図４】図４は、実施の形態１に係る通路用照明装置における導光板及び発光モジュールの配置を示す正面図である。
【図５】図５は、実施の形態１に係る通路用照明装置の動作を説明するための図である。
【図６】図６は、ＬＥＤを用いた一般的な道路灯の発光状態を示す図である。
【図７】図７は、実施の形態２に係る通路用照明装置の正面図である。
【図８】図８は、実施の形態２に係る通路用照明装置の側面図である。
【図９】図９は、実施の形態２に係る通路用照明装置の動作を説明するための図である。
【図１０】図１０は、実施の形態２に係る通路用照明装置の、道路の進行方向における光の照明範囲を説明するための図である。
【図１１】図１１は、実施の形態２の変形例に係る通路用照明装置の側面図である
【図１２】図１２は、実施の形態２の変形例に係る通路用照明装置における導光板及び発光モジュールの配置を示す正面図である。
【図１３】図１３は、実施の形態２の変形例に係る導光板の下側の端面に設けられたレンズ部を示す斜視図である。
【図１４】図１４は、発光モジュールが導光板の側部に位置する端面に対向配置された通路用照明装置の正面図である。
【発明を実施するための形態】
【００１１】
以下、実施の形態に係る通路用照明装置について、図面を参照しながら説明する。なお、以下に説明する実施の形態は、本発明の一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付しており、重複する説明は省略または簡略化される場合がある。
【００１３】
（実施の形態１）
［概要］
まず、実施の形態１に係る通路用照明装置の概要について説明する。図１は、実施の形態１に係る通路用照明装置の概要を説明するための図である。
【００１４】
図１に示されるように、実施の形態１に係る通路用照明装置１０は、支柱２０の上部に取り付けられ、屋外の道路３０沿いに設置される。図１の例では、複数の通路用照明装置１０が所定の間隔で設置されている。なお、道路は、通路の一例である。通路には、歩道、道路（車道）などが含まれる。
【００１５】
通路用照明装置１０は、平面視形状が矩形の板状の照明装置である。通路用照明装置１０においては後述する導光板を用いた面発光により均斉度が高められている。なお、通路用照明装置１０の、道路３０の進行方向における照明範囲は、照明範囲７０である。
【００１６】
ここで、通路用照明装置１０は、表面の法線４０の方向が、道路３０の進行方向に一致するように設置されている。
【００１７】
これにより、道路３０を歩行する歩行者５０、または、道路３０を走行する車の運転者は、面発光する通路用照明装置１０の発光面の全体を視認することとなる。上述のように、通路用照明装置１０の発光面は、均斉度が高いため、歩行者５０が感じるグレアが低減される。
【００１８】
［構成］
次に、通路用照明装置１０の詳細な構成について説明する。図２は、通路用照明装置１０の正面図（以下、正面は、発光面または裏面とも記載する）である。図３は、通路用照明装置１０の側面図である。図４は、通路用照明装置１０における導光板及び発光モジュールの配置を示す正面図である。なお、図３の側面図では、内部構造の理解を容易にするために、筐体については断面が図示されている。
【００１９】
図２〜図４に示されるように、通路用照明装置１０は、筐体１１と、発光モジュール１２（基板１２ａ及び発光素子１２ｂ）と、導光板１３と、透明パネル１４と、プリズム群（複数のプリズム１５及び複数のプリズム１６）と、反射シート１７とを備える。
【００２０】
通路用照明装置１０は、実施の形態１では、屋外に設けられる照明装置であり、道路３０沿いに設置される。なお、通路用照明装置１０は、屋内に設けられてもよい。
【００２１】
筐体１１は、発光モジュール１２及び導光板１３を、位置関係を固定した状態で収容する筐体である。筐体１１は、導光板１３の裏面１３ｂに対向する部分に開口を有し、当該開口には透明パネル１４がはめ込まれる。筐体１１は、透明パネル１４とともに、通路用照明装置１０の外郭を構成する。筐体１１は、例えば、コストの観点から樹脂により形成されるが、耐候性及び頑丈さを優先してダイキャストなどの金属で形成されてもよい。
【００２２】
発光モジュール１２は、導光板１３の端面１３ａに対向配置された光源であり、基板１２ａと、基板１２ａ上に複数実装された発光素子１２ｂとを有する。なお、端面１３ａは、設置された状態の導光板１３の上側の端面であり、発光モジュール１２は、設置された状態の導光板１３の上側の端面１３ａに対向配置されている。
【００２３】
基板１２ａは、長尺状の基板であって、発光素子１２ｂが実装される主面が端面１３ａと対向し、かつ、長手方向が導光板１３の端面１３ａの長手方向に沿うように設けられる。基板１２ａは、例えば、セラミックなどで形成されるが、アルミニウムなどその他の材料で形成されてもよい。
【００２４】
発光素子１２ｂは、いわゆるＳＭＤ（Ｓｕｒｆａｃｅ  Ｍｏｕｎｔ  Ｄｅｖｉｃｅ）型のＬＥＤ素子であり、基板１２ａ上に長手方向に沿ってほぼ等間隔で複数設けられる。発光素子１２ｂは、主発光面が端面１３ａと対向するように基板１２ａ上に配置される。なお、ＳＭＤ型のＬＥＤ素子とは、具体的には、樹脂成型されたキャビティの中にＬＥＤチップ（発光素子）が実装され、当該キャビティ内に蛍光体含有樹脂が封入されたパッケージ型のＬＥＤ素子である。
【００２５】
なお、通路用照明装置１０に用いられる光源は、発光モジュール１２のような構成に限定されるものではなく、基板１２ａ上に直接ＬＥＤチップが実装されたＣＯＢ（Ｃｈｉｐ  Ｏｎ  Ｂｏａｒｄ）型の発光モジュールが光源として用いられてもよい。また、光源に用いられる発光素子は、ＬＥＤチップに限定されるものではなく、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００２６】
導光板１３は、平面視形状が矩形の板状の光学部材である。導光板１３は、透光性を有する部材であり、例えば、アクリルで形成されるが、ポリカーボネート、ガラスなどであってもよい。
【００２７】
導光板１３の表面１３ｃには、プリズム群（複数のプリズム１５及び複数のプリズム１６）が設けられる。プリズム群は、発光モジュール１２の発光により端面１３ａから入射した光を裏面１３ｂ側に反射することによって導光板１３を面発光させる。
【００２８】
プリズム１５及びプリズム１６は、光線を導光板１３外に取り出すために導光板の表面１３ｃに設けられた微細な凹部または凸部である。
【００２９】
プリズム１５は、有効面１５ａと非有効面１５ｂとを有し、有効面１５ａの法線の方向を適切に設計することにより、配光を制御することができる。なお、プリズム１６は、プリズム１５と有効面角度１５ｃが異なるプリズムである。
【００３０】
複数のプリズム１５及び複数のプリズム１６は、マトリクス状に配置されている。図中のＸ方向を行方向、Ｙ方向を列方向とした場合、導光板１３においては、プリズム１５の群とプリズム１６の群とが行ごとに交互に設けられているが、このような構成は一例であり、プリズムの配置及び種類は特に限定されるものではない。例えば、実施の形態１においては、表面１３ｃに２種類のプリズムが設けられているが、１種類のプリズムが設けられてもよいし、３種類以上のプリズムが設けられてもよい。
【００３１】
導光板１３の裏面１３ｂには、プリズム群によって反射された光を、裏面から均一に取り出すための拡散加工が施される。拡散加工としては、シルク印刷、または、シボ加工などが例示される。
【００３２】
なお、導光板１３の表面１３ｃは、言い換えれば、導光板１３の一方の主面であり、導光板１３の裏面１３ｂは、言い換えれば、導光板１３の他方の主面である。
【００３３】
導光板１３は、表面１３ｃの法線方向が通路の進行方向と一致するように設置される。ここで、「表面１３ｃの法線方向」とは、微細なプリズム群を平坦であるとみなした場合の表面１３ｃの法線方向を意味し、図中のＹ方向に相当する。また、ここでの「一致」とは、導光板１３の取り付けばらつきなどを含めて実質的に一致することを意味し、厳密な意味での一致（完全一致）を意味するわけではない。導光板１３は、表面１３ｃが通路の進行方向を向くように設置されればよい。
【００３４】
透明パネル１４は、屋外でのプリズムの結露による、光学性能劣化を防止するための樹脂製のパネルである。透明パネル１４の平面視形状は、矩形である。透明パネル１４は、筐体１１とともに、通路用照明装置１０の外郭を構成する。
【００３５】
反射シート１７（反射板）は、導光板１３の特殊加工面、すなわち、表面１３ｃに装着される、ポリエチレンテレフタレート（ＰＥＴ）などからなる光を反射するシートである。反射シート１７により、反射の効率が向上される。なお、通路用照明装置１０において要求される配光に応じて、鏡面性の高い反射シートを使用するか、拡散性の高い反射シートを使用するかが決定される。
【００３６】
［動作］
以上のような構成の通路用照明装置１０の動作について説明する。図５は、通路用照明装置１０の動作を説明するための図である。
【００３７】
まず、発光モジュール１２が発した光は、導光板１３の上側の端面１３ａから屈折して導光板１３の内部に入射する。なお、一部の光は、屈折せずに直進する。
【００３８】
入射した光は、導光板１３の内部で全反射を繰り返して導光される。導光された光のうち、プリズム１５及びプリズム１６の有効面に当たった光は、裏面１３ｂ側に反射（全反射）される。なお、導光された光のうち、表面１３ｃから導光板１３の外に出た光は、反射シート１７にて反射され、導光板１３内に戻される。
【００３９】
裏面１３ｂに到達した光は、屈折して導光板１３外に出射される。この結果、光は、透明パネル１４を介して通路用照明装置１０外に取り出される。
【００４０】
プリズム１５及びプリズム１６の有効面に当たらなかった光は、導光板１３の下側の端面１３ｄから導光板１３外に取り出され、筐体１１の内面１１ａにて吸収される。
【００４１】
［効果］
次に、通路用照明装置１０の効果について、図６を参照しながら説明する。図６は、ＬＥＤを用いた一般的な道路灯の発光状態を示す図である。
【００４２】
図６に示されるように、一般的な道路灯においては、ＬＥＤが配置されている部分の輝度が他の部分に比べて非常に高くなり、歩行者５０は、大きなグレアを感じることになる。
【００４３】
これに対し、通路用照明装置１０は、上述したような構成により、通路用照明装置１０と歩行者５０（または運転者）との距離が十分であれば、通路用照明装置１０は、高い均斉度で、ほぼ均一に面発光する。なお、実施の形態１のように、通路用照明装置１０が屋外用であるときは、通路用照明装置１０と歩行者５０（または運転者）との距離は、十分である場合がほとんどである。
【００４４】
また、一般に、特定の方向に制御できる光度は、照明装置の平均輝度×見かけの発光面積で決まり、見かけの発光面積を大きくすることによりグレアを軽減することができる。そして、同じ発光面積、同じ光度であれば、より均斉度が高いほうがグレアを感じにくい。
【００４５】
ここで、上述のように、通路用照明装置１０は、面発光する導光板１３の一方の主面の法線方向が道路３０の進行方向と一致するように設置される。
【００４６】
これにより、見かけの発光面積を高い均斉度で広げることができ、歩行者５０、または、運転者のグレアを低減できるとともに、必要な照度基準が確保できる。
【００４７】
また、通路用照明装置１０では、発光モジュール１２が導光板１３の上側の端面１３ａに対向配置される。したがって、導光板１３の下方向に向かって光が導光されるので、上方向、つまり、空に向かう光の量を減らすことが容易である。したがって、光害対策が容易であるという利点がある。
【００４８】
さらに、通路用照明装置１０では、複数種類のプリズムが設けられるが、このように複数種類のプリズムの有効面角度を最適化することにより、道路照明に要求される配光を得やすい効果がある。
【００４９】
なお、実施の形態１では、導光板１３は、表面１３ｃの法線方向が通路の進行方向と一致するように設置されるが、一致していない場合であっても、十分に離れた位置の歩行者５０または運転者が導光板の裏面の全体を視認できれば、グレアの低減効果は得られる。
【００５０】
（実施の形態２）
実施の形態１に係る通路用照明装置１０においては、裏面１３ｂから光が出射されたが、裏面１３ｂに加えて表面１３ｃから光が出射されてもよい。
【００５１】
以下、実施の形態２に係る通路用照明装置について、図面を参照しながら説明する。なお、以下の実施の形態２の説明では、実施の形態１と異なる部分を中心に説明され、重複する説明は省略される。
【００５２】
［構成］
まず、実施の形態２に係る通路用照明装置の詳細な構成について説明する。図７は、実施の形態２に係る通路用照明装置の正面図である。図８は、実施の形態２に係る通路用照明装置の側面図である。なお、図８の側面図では、内部構造の理解を容易にするために、筐体については断面が図示されている。
【００５３】
図７及び図８に示されるように、実施の形態２に係る通路用照明装置１１０は、筐体１１１と、発光モジュール１２と、導光板１１３と、透明パネル１４と、透明パネル１４ａと、プリズム群と、集光レンズ部１８とを備える。
【００５４】
筐体１１１は、導光板１１３の裏面１１３ｂに対向する部分に開口を有し、当該開口には、透明パネル１４がはめ込まれる。また、筐体１１１は、導光板１１３の表面１１３ｃに対向する部分に開口を有し、当該開口には、透明パネル１４がはめ込まれる。
【００５５】
また、筐体１１１は、導光板１１３の下側の端面１１３ｄに対向する部分に開口を有し、当該開口には、透明パネル１４ａがはめ込まれる。すなわち、導光板１１３の下側の端面１１３ｄは、遮光されていない。
【００５６】
導光板１１３は、表面１１３ｃに加えて、さらに、裏面１１３ｂにプリズム群（複数のプリズム１５及び複数のプリズム１６）が設けられている。また、導光板１１３の上側の端面１１３ａには、集光レンズ部１８が設けられる。プリズム群は、発光モジュール１２の発光により端面１１３ａから入射した光を表面１１３ｃ側に反射することによって導光板１１３を面発光させる。
【００５７】
集光レンズ部１８は、発光モジュール１２の発光素子１２ｂから発する光を集光して、導光板１１３の上側の端面１１３ａに導くためのレンズ部である。集光レンズ部１８は、発光モジュール１２の発光素子１２ｂと１対１で対応する複数のレンズからなるレンズアレイであり、導光板１１３と一体成型（一体形成）される。なお、集光レンズ部１８に代えて、導光板１１３と、発光モジュール１２との間に導光板１１３とは別体の集光レンズが設けられてもよい。
【００５８】
以上のように、通路用照明装置１１０は、主として、導光板１１３の裏面１１３ｂにプリズム群（複数のプリズム１５及び複数のプリズム１６）が設けられている点と、導光板１１３の下側の端面１１３ｄが遮光されていない点が通路用照明装置１０と異なる。
【００５９】
［動作］
以上のような構成の通路用照明装置１１０の動作について説明する。図９は、通路用照明装置１１０の動作を説明するための図である。図１０は、通路用照明装置１１０の、道路３０の進行方向における光の照明範囲を説明するための図である。
【００６０】
まず、発光モジュール１２が発した光は、集光レンズ部１８によって集光されて導光板１１３の内部に入射する。
【００６１】
ここで、集光レンズ部１８によれば、プリズム１５の有効面１５ａに到達する光線の角度範囲１５ｄ（図９のプリズム１５の拡大図参照）を狭くすることができる。また、図示されないが、プリズム１６に到達する光線の到達範囲についても同様である。このため、例えば、図９に示されるように、導光板１１３の裏面１１３ｂにおけるプリズム１５とプリズム１６との間に光を集中させて出射させるなどの制御が可能となる。
【００６２】
導光板１１３の内部に入射した光は、導光板１１３の内部で全反射を繰り返して導光される。導光された光のうち、表面１１３ｃ側に設けられたプリズム１５及びプリズム１６の有効面に当たった光は、裏面１１３ｂ側に反射（全反射）される。裏面１１３ｂに到達した光は、屈折して導光板１１３外に出射される。
【００６３】
また、導光された光のうち、裏面１１３ｂ側に設けられたプリズム１５及びプリズム１６の有効面に当たった光は、表面１１３ｃ側に反射（全反射）される。表面１１３ｃに到達した光は、屈折して導光板１１３の外に出射される。
【００６４】
以上のように、導光板１１３は、表面１３ｃ及び裏面１３ｂの両方が面発光するため、図１０に示される照明範囲１７０のように、導光板１１３の表面１３ｃ側、及び、裏面１３ｂ側の両方に光を照射することができる。
【００６５】
なお、プリズム１５及びプリズム１６の有効面に当たらなかった光は、導光板１１３の下側の端面１１３ｄから導光板１１３外に取り出され、透明パネル１４ａを介して通路用照明装置１１０の外に取り出される。
【００６６】
［効果］
次に、通路用照明装置１１０の効果について説明する。屋外の道路用の照明装置では、照明装置の照明範囲等に応じて設置間隔についての規定が設けられていることが多い。通路用照明装置１１０によれば、導光板１１３の表面１３ｃ側、及び、裏面１３ｂ側の両方に光を照射することができ、広い照明範囲１７０が実現されるため、設置間隔を広げることができ、設置台数を少なくすることができる。
【００６７】
また、通路用照明装置１１０では、集光レンズ部１８により、プリズム１５及びプリズム１６の有効面に到達する光線の角度範囲を狭くし光線の制御を行うことが可能となる。したがって、光の照射が必要な路面に対して効率的に光を照射することができる。
【００６８】
また、通常、導光板１１３の表面１１３ｃ及び裏面１１３ｂに設けられたプリズム群によって、導光板１１３の下側の端面１１３ｄから光を出射することは難しい。これに対し、通路用照明装置１１０では、設置された状態の導光板１１３の下側の端面１１３ｄが遮光されていないことにより、導光板１１３の直下の照度を確保することができる。
【００６９】
［変形例］
上記のように、導光板１１３の下側の端面１１３ｄが遮光されていない場合、路面にプリズム１５及びプリズム１６の像が結像してしまう場合がある。そこで、このような結像を低減するために、導光板１１３の下側の端面１１３ｄには、レンズ部が設けられてもよい。図１１は、実施の形態２の変形例に係る通路用照明装置の側面図である。図１２は、実施の形態２の変形例に係る通路用照明装置における導光板及び発光モジュールの配置を示す正面図である。なお、図１１の側面図では、内部構造の理解を容易にするために、筐体１１１については断面が図示されている。
【００７０】
図１１及び図１２に示されるように、通路用照明装置２１０の導光板１１３の下側の端面１１３ｄには、レンズ部１１３ｅが設けられている。図１３は、レンズ部１１３ｅを示す斜視図である。
【００７１】
レンズ部１１３ｅは、具体的には、フレネルレンズとして機能するが、その他のレンズとして機能してもよい。レンズ部１１３ｅは、導光板１１３と一体成型（一体形成）される。なお、レンズ部１１３ｅに代えて、導光板１１３とは別体のレンズ（フレネルレンズ）が設けられてもよい。
【００７２】
導光板１１３の下側の端面１１３ｄにレンズ部１１３ｅが設けられることにより、導光板１１３の下側の端面１１３ｄから通路用照明装置２１０の外部に出射される光によるプリズム１５及びプリズム１６の像の結像を低減することができる。また、導光板１１３の下側の端面１１３ｄから発する光を路面に効率的に広げることができる。
【００７３】
（その他の実施の形態）
以上、実施の形態１及び２について説明したが、本発明は、上記実施の形態に限定されるものではない。
【００７４】
例えば、上記実施の形態においては、発光モジュールは、設置された状態の導光板の上側の端面に対向配置されたが、その他の端面に対向配置されてもよい。発光モジュールは、例えば、設置された状態の導光板の側部に位置する端面に対向配置されてもよい。図１４は、発光モジュールが導光板の側部に位置する端面に対向配置された通路用照明装置の正面図である。
【００７５】
図１４に示される通路用照明装置３１０は、主として、筐体３１１と、発光モジュール３１２（基板３１２ａ及び発光素子１２ｂ）と、導光板３１３と、プリズム群（複数のプリズム１５及び複数のプリズム１６）とを備える。また、図示されないが、上記実施の形態で説明した透明パネル等も備える。
【００７６】
筐体３１１は、発光モジュール３１２及び導光板３１３を収容する筐体である。
【００７７】
発光モジュール３１２は、導光板３１３の側部に位置する端面３１３ａに対向配置された光源であり、基板３１２ａと、基板３１２ａ上に複数実装された発光素子１２ｂとを有する。基板３１２ａは、長尺状の基板であって、発光素子１２ｂが実装される主面が端面３１３ａと対向し、かつ、長手方向が導光板の端面３１３ａの長手方向に沿うように設けられる。
【００７８】
導光板３１３の表面には、プリズム群（複数のプリズム１５及び複数のプリズム１６）が設けられる。プリズム群は、発光モジュール３１２の発光により端面３１３ａから入射した光を裏面側に反射することによって導光板３１３を面発光させる。
【００７９】
このように、発光モジュール３１２は、設置された状態の導光板３１３の側部に位置する端面３１３ａに対向配置されてもよい。
【００８０】
また、このような導光板３１３（通路用照明装置３１０）は、道路３０に立設された支柱２０の上部に、端面３１３ａが支柱２０に沿うように取り付けられる。なお、支柱２０は、図１４においては破線で示される。このとき、発光モジュール３１２は、支柱２０の内部に配置されてもよい。
【００８１】
屋外用の照明装置においては、発光モジュール３１２の防水性が課題となるが、このように発光モジュール３１２が支柱２０の内部に設けられることにより、発光モジュール３１２の防水性を高めることができる。また、通常、通路用照明装置３１０には、支柱２０側から電力が供給されるが、発光モジュール３１２が支柱２０の内部に設けられることにより、電力供給用の配線の引き回し等を簡素化することができる。つまり、通路用照明装置３１０への給電が容易であるという利点もある。
【００８２】
また、上記実施の形態では、導光板（通路用照明装置）は、長手方向が鉛直方向に一致するように支柱に取り付けられたが、短手方向が鉛直方向に一致するように取り付けられてもよく、取り付けの向きは特に限定されるものではない。また、導光板の平面視形状についても、特に限定されるものではなく、その他の多角形や、円形などであってもよい。
【００８３】
なお、本発明は、これらの実施の形態またはその変形例に限定されるものではない。本発明の趣旨を逸脱しない限り、当業者が思いつく各種変形を本実施の形態またはその変形例に施したもの、あるいは異なる実施の形態またはその変形例における構成要素を組み合わせて構築される形態も、本発明の範囲内に含まれる。
【符号の説明】
【００８４】
１０、１１０、２１０、３１０  通路用照明装置
１２、３１２  発光モジュール（光源）
１３、１１３、３１３  導光板
１３ａ、１３ｄ、１１３ａ、１１３ｄ、３１３ａ  端面
１３ｂ、１１３ｂ  裏面（一方の主面）
１３ｃ、１１３ｃ  表面（他方の主面）
１５、１６  プリズム
１８  集光レンズ部
２０  支柱
３０  道路（通路）
１１３ｅ  レンズ部
【図１】
0006376385.tif 000002
【図２】
0006376385.tif 000003
【図３】
0006376385.tif 000004
【図４】
0006376385.tif 000005
【図５】
0006376385.tif 000006
【図６】
0006376385.tif 000007
【図７】
0006376385.tif 000008
【図８】
0006376385.tif 000009
【図９】
0006376385.tif 000010
【図１０】
0006376385.tif 000011
【図１１】
0006376385.tif 000012
【図１２】
0006376385.tif 000013
【図１３】
0006376385.tif 000014
【図１４】
0006376385.tif 000015